(57)【要約】      （修正有）【課題】針キャップを除去する動作、薬液の気泡を集める動作、気泡を除去する動作、注射針を注射部位に指す動作、並びに、薬液を注射する動作を容易なものとすることができる自己注射用補助具を提供する。【解決手段】注射器を挟み込んで固定するための装置本体１１０と、装置本体１１０に対して開閉可能であり、かつ、装置本体１１０に対して注射器セット位置と注射可能位置との間を軸方向にスライド移動可能となっている本体カバー１２０とを備えている。本体カバー１２０が閉じられると、針キャップ後端係合片１２２がシリンダの先端と針キャップとの間隙に挿入され、この状態で本体カバー１２０を注射可能位置にスライド移動させるだけで、針キャップを容易で確実かつ安全に取り外すことができる。【選択図】図１
0003143302.tif 000002
【実用新案登録請求の範囲】
【請求項１】
シリンダと、該シリンダ内を軸方向に移動可能なピストンと、前記シリンダの後端に設けられたつばもとと、前記シリンダの先端に形成された小径部に接続される注射針と、該注射針の外周囲を覆いつつ前記シリンダの先端との間に僅かな間隙を有して前記小径部に嵌合される針キャップとを備えた注射器により注射する際に用いられる自己注射用補助具であって、
前記注射器を挟み込んで固定するための装置本体と、
この装置本体に対して開閉可能であり、かつ、該装置本体に対して注射器セット位置と注射可能位置との間を軸方向にスライド移動可能となっている本体カバーとを備え、
前記装置本体は、
前記注射器のシリンダを受け入れてこれを支持可能な軸方向に長い長溝と、
前記注射器のつばもとを受け入れる凹部と、該凹部の軸方向前後に設けられ前記つばもとの前後に当接して注射器を軸方向に移動不能に支持する前後板とを有するつばもと装着部とを備えてなり、
前記本体カバーは、
前記装置本体に対して閉じられた状態で前記装置本体の長溝にセットされた注射器のシリンダを前記長溝との間で挟み込んで固定するための押え溝と、
前記装置本体に対して閉じられた状態で前記注射器の前記シリンダの先端と前記針キャップとの間隙に挿入される針キャップ後端係合片とを備えてなり、
前記注射器、装置本体及び本体カバーは、前記注射器のシリンダを本体カバーの長溝に支持し、かつ、前記つばもとをつばもと装着部に装着したとき、前記シリンダの先端と前記針キャップとの間隙が前記装置本体の前端よりもつばもと装着部側に位置するとともに、前記注射針が針キャップに外周囲を覆われた状態で前記装置本体の前端よりも外側に突出するような大きさとなっていることを特徴とする自己注射用補助具。
【請求項２】
前記針キャップ後端係合片は、これが軸方向に相対移動されたとき、その復帰力に起因した弾発力が蓄積される構造となっていることを特徴とする請求項１に記載の自己注射用補助具。
【請求項３】
前記本体カバーは、前記装置本体に対してヒンジ結合されていることを特徴とする請求項１または２に記載の自己注射用補助具。
【請求項４】
前記本体カバーが前記つばもと装着部側の注射器セット位置にあるときにその開動作を許容し、前記本体カバーが前記注射可能位置にあるときにその開動作を不能とする係止部を前記装置本体及び本体カバーのいずれかに設けるとともに、前記係止部と係合する係合部を前記装置本体及び本体カバーの他方に設けることを特徴とする請求項１〜３のいずれかに記載の自己注射用補助具。
【請求項５】
前記係止部と係合部とは、前記本体カバーが前記注射可能位置にあるとき、前記本体カバーのスライド移動をロックするロック機構を備えていることを特徴とする請求項１〜４のいずれかに記載の自己注射用補助具。
【請求項６】
前記装置本体または前記本体カバーの前端に形成され、軸方向と直交する方向に拡径し、かつ、前記注射器の針キャップが配置され前記長溝の延長上に形成される凹部と、該凹部に連続して形成され前記針キャップを受け入れ可能な導入部とを有する羽根部を備えたことを特徴とする請求項１〜５のいずれかに記載の自己注射用補助具。
【請求項７】
前記装置本体または前記本体カバーには、装置本体にセットされた注射器のシリンダ先端を視認可能な開口が形成されていることを特徴とする請求項１〜６のいずれかに記載の自己注射用補助具。
【請求項８】
前記本体カバーの後端に、軸方向と直交する方向に拡径するつば部を備えていることを特徴とする請求項１〜７のいずれかに記載の自己注射用補助具。
【考案の詳細な説明】
【技術分野】
【０００１】
本考案は、例えば自己注射する際に用いられ、これを補助する自己注射器補助具に関する。
【背景技術】
【０００２】
注射は、一般に、医師や看護師によって行われるが、糖尿病やリウマチなどの慢性病患者にあっては、患者自身、その家族または介護者が、自宅などの病院外で治療液を自己注射することがある。例えば「関節リウマチ」の患者には、その痛みをやわらげ、病気の進行を抑えることを目的として、自宅などにおいて、定期的に、種々の治療薬を自己注射する治療法が実施されている。
【０００３】
このような自己注射に用いられる注射器は、一般に、シリンダと、シリンダ内を軸方向に移動可能なピストンと、シリンダの後端に設けられたつばもとと、シリンダの先端に接続される注射針と、注射針の外周囲を覆いシリンダの先端に嵌合される針キャップとを備えたものである。
【０００４】
自己注射は、例えば、患者が自ら次の手順を踏むことにより行われる。すなわち、（１）注射器（すでに薬液が充填されている）を包装から取り出し、片手でシリンダの外周を持ちながら他方の手で針キャップをつまんで引き抜く。（２）注射針が上方を向くようにシリンダを持ち替え、他方の手指でシリンダの先端（注射針側）を軽く叩いてシリンダの内側先端（上部）に薬液中の気泡を集める。（３）注射針から薬液が１，２滴出るまでゆっくりとピストンを押し上げて薬液から気泡を除去する。（４）つばもとの先端側に人差し指と中指とをあてがい、ピストンの後端に親指をあてがった状態で注射針を患者の注射部位に刺し、つばもとに対してピストンを押し込むことにより薬液を注射する。（５）ピストンの先端がシリンダの先端に当接したら（薬液の注射が終了）、注射針を引き抜き、アルコール綿で注射部位を押さえる。
【０００５】
自己注射を容易に行うことが可能な注射用補助具として、例えば、特開２００２ー３６０６９２号公報（容器兼用注射器の補助グリップ）、特開２００３−１５９３３１号公報（注射針及び注射補助装置）、特開２００２−８５５６０号公報（シリンジセッティング補助具）、特開２０００−２５４２２４号公報（インスリン注入器操作用補助具）などが知られている。
【特許文献１】特開２００２ー３６０６９２号公報
【特許文献２】特開２００３−１５９３３１号公報
【特許文献３】特開２００２−８５５６０号公報
【特許文献４】特開２０００−２５４２２４号公報
【考案の開示】
【考案が解決しようとする課題】
【０００６】
ところで、例えば関節リウマチの患者は、手足の指の関節が腫れて痛みを伴っていることも多く、また患者ないしはその家族が高齢であるなどの場合には、注射器の外径が比較的小さいことから、片手でシリンダの外周を持ちながら他方の手で針キャップをつまんで引き抜く動作、シリンダの先端を軽く叩いて薬液中の気泡を集める動作、気泡を除去する動作、注射針を注射部位に指す動作、薬液を注射する動作が困難となるおそれがある。
【０００７】
しかしながら、上記文献には、薬液を注射する動作を容易なものとする考案が記載されているということができるものの、片手でシリンダの外周を持ちながら他方の手で針キャップをつまんで引き抜く動作、シリンダの先端を軽く叩いて薬液中の気泡を集める動作、気泡を除去する動作、注射針を注射部位に刺す動作を容易ならしめる考案は記載されていないという課題があった。
【０００８】
本考案は、上記課題に鑑みてなされたものであって、針キャップを除去する動作、薬液の気泡を集める動作、気泡を除去する動作、注射針を注射部位に指す動作、並びに、薬液を注射する動作を容易なものとすることができる自己注射用補助具を提供することを目的とする。
【課題を解決するための手段】
【０００９】
上記目的を達成するため、本発明は、シリンダと、該シリンダ内を軸方向に移動可能なピストンと、前記シリンダの後端に設けられたつばもとと、前記シリンダの先端に形成された小径部に接続される注射針と、該注射針の外周囲を覆いつつ前記シリンダの先端との間に僅かな間隙を有して前記小径部に嵌合される針キャップとを備えた注射器により注射する際に用いられる自己注射用補助具であって、前記注射器を挟み込んで固定するための装置本体と、この装置本体に対して開閉可能であり、かつ、該装置本体に対して注射器セット位置と注射可能位置との間を軸方向にスライド移動可能となっている本体カバーとを備え、前記装置本体は、前記注射器のシリンダを受け入れてこれを支持可能な軸方向に長い長溝と、前記注射器のつばもとを受け入れる凹部と、該凹部の軸方向前後に設けられ前記つばもとの前後に当接して注射器を軸方向に移動不能に支持する前後板とを有するつばもと装着部と、前記本体カバーは、前記装置本体に対して閉じられた状態で前記装置本体の長溝にセットされた注射器のシリンダを前記長溝との間で挟み込んで固定するための押え溝と、前記装置本体に対して閉じられた状態で前記注射器の前記シリンダの先端と前記針キャップとの間隙に挿入される針キャップ後端係合片とを備えてなり、前記注射器、装置本体及び本体カバーは、前記注射器のシリンダを本体カバーの長溝に支持し、かつ、前記つばもとをつばもと装着部に装着したとき、前記シリンダの先端と前記針キャップとの間隙が前記装置本体の前端よりもつばもと装着部側に位置するとともに、前記注射針が針キャップに外周囲を覆われた状態で前記装置本体の前端よりも外側に突出するような大きさとなっていることを特徴とするものである（請求項１）。
【００１０】
本発明においては、前記針キャップ後端係合片が、これが軸方向に相対移動されたとき、その復帰力に起因した弾発力が蓄積される構造となっていることを特徴とし（請求項２）、前記本体カバーが、前記装置本体に対してヒンジ結合されていることを特徴とし（請求項３）、前記本体カバーが前記つばもと装着部側の注射器セット位置にあるときにその開動作を許容し、前記本体カバーが前記ストッパによってスライド移動が阻止された位置にあるときにその開動作を不能とする係止部を前記装置本体及び本体カバーのいずれかに設けるとともに、前記係止部と係合する係合部を前記装置本体及び本体カバーの他方に設けることを特徴とし（請求項４）、前記係止部と係合部とは、前記本体カバーが前記注射可能位置にあるとき、前記本体カバーのスライド移動をロックするロック機構を備えていることを特徴とし（請求項５）、前記装置本体または前記本体カバーの前端に形成され、軸方向と直交する方向に拡径し、かつ、前記注射器の針キャップが配置され前記長溝の延長上に形成される凹部と、該凹部に連続して形成され前記針キャップを受け入れ可能な導入部とを有する羽根部を備えたことを特徴とし（請求項６）、前記装置本体または前記本体カバーには、装置本体にセットされた注射器のシリンダ先端を視認可能な開口が形成されていることを特徴とし（請求項７）、前記ストッパが、軸方向と直交する方向に拡径するつば部となっていることを特徴とするのが好ましい（請求項８）。
【考案の効果】
【００１１】
本考案によれば、次のような効果が得られる。
請求項１に記載の考案によれば、本体カバーを開いて注射器をセットし、本体カバーを閉じると、注射器のシリンダが装置本体の長溝と本体カバーの押さえ溝との間で挟み込まれて固定される。本体カバーが閉じられると、針キャップ後端係合片がシリンダの先端と針キャップとの間隙に挿入され、この状態で本体カバーを注射可能位置にスライド移動させると、針キャップが取り外されて注射針が露出する。患者は、注射針を注射部位に刺し、この状態を保持したままピストンを針先方向に押し込むことにより、薬液が注射される。
【００１２】
このように、注射器は装置本体と本体カバーとに挟み込まれて固定されるため、補助具全体の外径は注射器よりも大きく、従って、手が不自由であっても、取り扱いやすくなる。そして、本体カバーを閉じてこれをスライド移動させるだけで、針キャップを容易で確実かつ安全に取り外すことができる。その後、注射針が上方を向くように補助具を持ち替え、他方の手指でその先端（注射針側）を軽く叩いてシリンダの内側先端（上部）に薬液中の気泡を集める必要があるが、補助具の外径が大きいので、その動作も容易に行うことができる。さらに、注射針を注射部位に刺す動作についても、補助具の外径が大きいことにより、容易に行うことができるとともに、注射針が身体に入る深さを一定にすることができる。
【００１３】
請求項２に記載の考案によれば、前記針キャップ後端係合片が、これが軸方向に相対移動されたとき、その復帰力に起因した弾発力が蓄積される構造となっているので、針キャップ後端係合片が針キャップの後端に突き当たってからこれをさらに針先方向にスライド移動させる際、キャップ後端係合片に弾発力が蓄積されてこの力がスライド移動する際の力に付加される結果、スライド移動する力が弱い場合であっても、針キャップを確実に取り外すことができる。
請求項３に記載の考案によれば、前記本体カバーが前記装置本体に対してヒンジ結合されているので、装置本体と本体カバーとが一体となっていて取り扱いに便利である。
請求項４に記載の考案によれば、本体カバーが注射器セット位置にあるときに開動作が許容されるので注射器のセットが可能となり、本体カバーが注射可能位置にあるときには開動作が不能とされるのであるから、注射器が補助具から脱落することがなく、安定した状態で注射動作を行うことができる。
請求項５に記載の考案によれば、本体カバーが注射可能位置にあるとき、ロック機構が本体カバーのスライド移動をロックするので、薬液中の気泡を除去する際に注射針が上方を向くような姿勢をとっても、本体カバーが注射器セット位置側にスライド移動することなく、安定した状態で作業を行うことができる。
【００１４】
請求項６に記載の考案によれば、注射針を注射部位に刺す際、羽根部の底面が注射部位の皮膚に広くあたるため、注射針が注射部位に刺された状態での皮膚に対する注射器の角度を安定した状態に保持することができる。また、凹部及び導入部を有しているので、装置本体への注射器のセットを妨げることはない。
請求項７に記載の考案によれば、薬液中の気泡を抜く際、当該開口を通じて気泡の様子を視認することができる。
請求項８に記載の考案によれば、本体カバーの後端に備えられたつば部に指をあてがうことにより、当該つば部は軸方向と直交する方向に拡径しているので、安定した状態で補助具全体を保持することができるとともに、気泡抜き及び注射時に、ピストンの後端を針先に向けて押す際の大きな支持部を確保することができることと相俟って、安定した注射動作を行うことができる。
【考案を実施するための最良の形態】
【００１５】
＝自己注射用補助具＝
本考案は、シリンダと、該シリンダ内を軸方向に移動可能なピストンと、前記シリンダの後端に設けられたつばもとと、前記シリンダの先端に形成された小径部に接続される注射針と、該注射針の外周囲を覆いつつ前記シリンダの先端との間に僅かな間隙を有して前記小径部に嵌合される針キャップとを備えた注射器により注射する際に用いられる自己注射用補助具である。
本考案の自己注射補助具は、前記注射器を挟み込んで固定するための装置本体と、この装置本体に対して開閉可能であり、かつ、該装置本体に対して注射器セット位置と注射可能位置との間を軸方向にスライド移動可能となっている本体カバーとを備えている。
【００１６】
＝＝装置本体＝＝
前記装置本体は、前記注射器のシリンダを受け入れてこれを支持可能な軸方向に長い長溝と、前記注射器のつばもとを受け入れる凹部と、該凹部の軸方向前後に設けられ前記つばもとの前後に当接して注射器を軸方向に移動不能に支持する前後板とを有するつばもと装着部とを備えてなる。
【００１７】
＝＝本体カバー＝＝
一方、前記本体カバーは、前記装置本体に対して閉じられた状態で前記装置本体の長溝にセットされた注射器のシリンダを前記長溝との間で挟み込んで固定するための押え溝と、前記装置本体に対して閉じられた状態で前記注射器の前記シリンダの先端と前記針キャップとの間隙に挿入される針キャップ後端係合片とを備えてなる。針キャップ後端係合片は、これが軸方向に相対移動されたとき、その復帰力に起因した弾発力が蓄積される構造となっていることが好ましい。本体カバーは、前記装置本体に対してヒンジ結合されており、また、その後端に、軸方向と直交する方向に拡径するつば部を備えていることが好ましい。
【００１８】
＝＝大きさの関係＝＝
そして、前記注射器、装置本体及び本体カバーは、前記注射器のシリンダを本体カバーの長溝に支持し、かつ、前記つばもとをつばもと装着部に装着したとき、前記シリンダの先端と前記針キャップとの間隙が前記装置本体の前端よりもつばもと装着部側に位置するとともに、前記注射針が針キャップに外周囲を覆われた状態で前記装置本体の前端よりも外側に突出するような大きさとなっている。
【００１９】
＝＝開閉動作＝＝
前記本体カバーが前記つばもと装着部側の注射器セット位置にあるときにその開動作を許容し、前記本体カバーが前記注射可能位置にあるときにその開動作を不能とする係止部を前記装置本体及び本体カバーのいずれかに設けるとともに、前記係止部と係合する係合部を前記装置本体及び本体カバーの他方に設けることが好ましい。
これら係止部と係合部とは、前記本体カバーが前記注射可能位置にあるとき、前記本体カバーのスライド移動をロックするロック機構を備えていることが好ましい。
【００２０】
＝＝羽根部＝＝
前記装置本体または前記本体カバーの前端に形成され、軸方向と直交する方向に拡径し、かつ、前記注射器の針キャップが配置され前記長溝の延長上に形成される凹部と、該凹部に連続して形成され前記針キャップを受け入れ可能な導入部とを有する羽根部を備えていることが好ましい。
【００２１】
＝＝開口＝＝
前記装置本体または前記本体カバーには、装置本体にセットされた注射器のシリンダ先端を視認可能な開口が形成されていることが好ましい。
【実施例】
【００２２】
以下、図面を参照しつつ、本考案の実施例について詳細に説明する。
図１は、本考案に係る自己注射用補助具１００を示し、この補助具１００は、図２に示されるような一般の注射器３００（例えば、エンブレル皮下注２５ｍｇシリンジ0.5ｍＬ）により患者等が自宅等の院外で注射する際に用いられる自己注射用補助具であって、例えばポリプロピレン等のプラスチックからなっている。
【００２３】
注射器３００は、シリンダ３１０と、シリンダ３１０内を軸方向に移動可能なピストン３２０と、シリンダ３１０の後端に設けられたつばもと３１１と、シリンダ３１０の先端に形成された小径部（図示しない）に接続される注射針３３０と、注射針３３０の外周囲を覆いつつシリンダ３１０の先端との間に僅かな間隙ｃを有して小径部に嵌合される針キャップ３４０とを備えている。
【００２４】
自己注射補助具１００は、注射器３００を挟み込んで固定するための装置本体１１０と、装置本体１１０に対して開閉可能であり、かつ、装置本体１１０に対して注射器セット位置（図中、右側位置）と注射可能位置（図中、左側位置）との間を軸方向にスライド移動可能となっている本体カバー１２０とを備えている。
【００２５】
装置本体１１０は、注射器３００のシリンダ３１０を受け入れてこれを支持可能な軸方向に長い長溝１１１と、その後端（図中、右側）に設けられたつばもと装着部１１２と、その前端（図中、左側）に設けられた羽根部１１３を備えてなり、つばもと装着部１１２は、注射器３００のつばもと３１１を受け入れる凹部１１２Ａと、凹部１１２Ａの軸方向前後に設けられつばもと３１１の前後に当接して注射器３００の全体を軸方向に移動不能に支持する前後板１１２ａ，１１２ｂとを有している。羽根部１１３は、軸方向と直交する方向に拡径し、かつ、注射器３００の針キャップ３４０が配置され長溝１１１の延長上に形成される凹部１１３ａと、凹部１１３ａに連続して形成され針キャップ３４０を受け入れ可能な導入部１１３ｂとを有している。なお、本実施例では、羽根部を装置本体の前端に設けたが、これに代えて本体カバー１２０の前端に設けることもできる。
【００２６】
一方、本体カバー１２０は、装置本体１１０に対して閉じられた状態（図４〜図９の状態）で装置本体１１０の長溝１１１にセットされた注射器３００のシリンダ３１０を長溝１１１との間で挟み込んで固定するための２つの押え溝１２１，１２１と、装置本体１１０に対して閉じられた状態でシリンダ３１０の先端と針キャップ３４０との間隙ｃに挿入される平面視でＣ字状の針キャップ後端係合片１２２とを備えてなる。針キャップ後端係合片１２２は、軸方向の厚さが薄い薄板１３０の中間部に形成され、薄板１３０は本体カバー１２０の前端にその両端のみが支持された両持ち状となっている。このため、針キャップ後端係合片１２２を軸方向に移動させると、その復帰力に起因した弾発力が蓄積されることになる。
【００２７】
注射器３００、装置本体１１０及び本体カバー１２０は、注射器３００のシリンダ３１０を本体カバー１２０の長溝１１１に支持し、かつ、つばもと３１１をつばもと装着部１１２に装着したとき、シリンダ３１０の先端と針キャップとの間隙が装置本体１１０の前端よりもつばもと装着部１１２側に位置するとともに、注射針３３０が針キャップ３４０に外周囲を覆われた状態で装置本体１１０の前端よりも外側に突出するような大きさとなっている（図３参照）。また、注射器３００がセットされた状態で、本体カバー１２０を閉じると、針キャップ後端係合片１２２がシリンダ３１０の先端と針キャップとの間隙ｃに挿入されるような位置関係となっている（図４参照）。
【００２８】
装置本体１１０は、その長手方向中央部から一側部（図中、上部）に向けて突出する段部１１４を備えるとともに、段部１１４とつばもと装着部１１２の前板１１２ａとの間、及び、段部１１４と羽根部１１３との間にわたって長溝１１１と平行に設けられた軸１１５ａ，１１５ｂを備えている。
【００２９】
本体カバー１２０は、装置本体１１０の軸１１５ａ，１１５ｂを抱持してこれにヒンジ結合するヒンジ部１２３ａ，１２３ｂを備え（図５，６を参照）、当該ヒンジ部１２３ａ，１２３ｂを中心として開閉可能となっており、かつ、当該ヒンジ部１２３ａ，１２３ｂが軸１１５ａ，１１５ｂに沿ってそれぞれ移動可能となっている。ヒンジ部１２３ａ，１２３ｂは、本体カバー１２０を閉じたときにおけるその背面側が軸方向に切り欠かれている。
【００３０】
本体カバー１２０は、装置本体１１０に対して閉じられているとき、その後端面１２４がつばもと装着部１１２の前板１１２ａに当接する位置（注射器セット位置でもある）と、その前端面１２５が羽根部１１３に当接する位置（注射可能位置）との間をスライド移動可能となっている。
【００３１】
そして、羽根部１１３側に位置する軸１１５ａには、前記ヒンジ部１２３ａより羽根部１１３側に該羽根部１１３に至る第１の突起１１５Ａがその背面側に形成されている。第１の突起１１５Ａは、ヒンジ部１２３ａ，１２３ｂの背面側に形成された切り欠きの幅寸法よりも幅狭となっている。また、装置本体１１０の前記段部１１４が形成された側とは反対側には、前記突起１１５Ａと対応する位置に第２の突起１１６（請求項２の係止部）が側方に向けて突出形成され、本体カバー１２０の開閉端部にして羽根部１１３側には、該本体カバー１２０を装置本体１１０に対して閉じ、かつ、この状態で本体カバー１２０を羽根部１１３側にスライド移動させたときに第２の突起１１６の背面側に係合し、本体カバー１２０が開かれることを阻止する爪部１２６（請求項２の係合部）が形成されている。
【００３２】
これにより、本体カバー１２０が注射器セット位置にあるときは、本体カバー１２０は、爪部１２６が第２の突起１１６と係合することもないので、自由に開閉動作することができる（図５参照）。なお、本体カバー１２０が開いた状態で、本体カバー１２０を羽根部１１３側にスライド移動させようとしても、本体カバー１２０のヒンジ部１２３ａが装置本体１１０の第１の突起１１５Ａに当接してその移動が阻止されるため、このようなスライド移動をすることはできない。
【００３３】
これに対し、本体カバー１２０が本体１１０に対して閉じられたときには、本体カバー１２０のヒンジ部１２３ａが装置本体１１０の第１の突起１１５Ａと係合せず、従って、羽根部１１３側へのスライド移動が許容される（図６参照）。そして、この際、本体カバー１２０の爪部１２６が、第２の突起１１６の背面側に係合し、本体カバー１２０を開くことはできない。
【００３４】
本実施例においては、装置本体１１０の第１の突起１１５Ａと本体カバー１２０のヒンジ部１２３ａとの間、または装置本体１１０の第２の突起１１６と本体カバー１２０の爪部１２６との間の少なくともいずれかに、本体カバー１２０が注射可能位置にあるとき、本体カバー１２０のつばもと装着部１１２側へのスライド移動をロックするロック機構を備えていることが好ましい。ロック機構としては、例えば、傾斜を付したり、粗面加工をするなど、摩擦を高める方法が安価に実施できて好ましい。
なお、本体カバー１２０は、その後端に、軸方向と直交する方向に拡径するつば部１２７を備えるとともに、その外周に複数の滑り止め１２９が形成されている。
そして、本実施例では、本体カバー１２０の羽根部１１３側には、装置本体１１０にセットされた注射器３００のシリンダ３１０先端を視認可能な軸方向に長い開口１２８が形成されている。
【００３５】
次に作用を説明する。
本実施例において、本体カバー１２０を開いて注射器３００をセットし、本体カバー１２０を閉じると、注射器３００のシリンダ３１０が装置本体１１０の長溝１１１と本体カバー１２０の押さえ溝１２１との間で挟み込まれて固定される。羽根部１１３は、凹部１１３ａ及び導入部１１３ｂを有しているので、装置本体１１０への注射器３００のセットは妨げられない。本体カバー１２０が注射器セット位置にあるときに開動作が許容されるので注射器３００のセットが可能となり、本体カバー１２０が注射可能位置にあるときには開動作が不能とされるのであるから、注射器３００が補助具１００から脱落することがなく、安定した状態で注射動作を行うことができる。
【００３６】
本体カバー１２０が閉じられると、針キャップ後端係合片１２２がシリンダ３１０の先端と針キャップ３４０との間隙に挿入され、この状態で本体カバー１２０を注射可能位置にスライド移動させるだけで、針キャップ３４０を容易で確実かつ安全に取り外すことができ、注射針３３０が露出する（図７参照）。針キャップ後端係合片１２２は両持ち状の薄板１３０の中間部に形成されているため、針キャップ後端係合片１２２が針キャップ３４０の後端に突き当たってからこれをさらに針先方向にスライド移動させる際、薄板１３０に弾発力が蓄積されてこの力がスライド移動する際の力に付加される結果、スライド移動する力が弱い場合であっても、針キャップ３４０を確実に取り外すことができる。患者は、注射針を注射部位に刺し（図８参照）、この状態を保持したままピストンを針先方向に押し込むことにより、薬液が注射される（図９参照）。
このように、注射器３００は装置本体１１０と本体カバー１２０との間に挟み込まれて固定されるため、補助具１００全体の外径は注射器３００よりも大きく、従って、手が不自由であっても、取り扱いやすくなる（図８参照）。
【００３７】
その後、注射針３３０が上方を向くように補助具１００を持ち替え、他方の手指でその先端（注射針側）を軽く叩いてシリンダ３１０の内側先端（上部）に薬液中の気泡を集める必要があるが、補助具１００の外径が大きいので、その動作も容易に行うことができる。この際、開口１２８を通じて気泡の様子を視認することができる。本体カバー１２０が注射可能位置にあるとき、本体カバー１２０のスライド移動をロックする構成を採用することにより、薬液中の気泡を除去する際に注射針３００が上方を向くような姿勢をとっても、安定した状態で作業を行うことができる。
【００３８】
さらに、注射針３００を注射部位に刺す動作についても、補助具１００の外径が大きいことにより、容易に行うことができるとともに、注射針が身体に入る深さを一定にすることができる。注射針３３０を注射部位に刺す際、羽根部１１３の底面が注射部位の皮膚に広くあたるため、注射針３３０が注射部位に刺された状態での皮膚に対する注射器３００の角度を安定した状態に保持することができる。しかも、本体カバー１２０の後端に備えられたつば部１２７に指をあてがうことにより、つば部１２７は軸方向と直交する方向に拡径しているので、安定した状態で補助具１００全体を保持することができるとともに、気泡抜き及び注射時に、ピストンの後端を針先に向けて押す際の大きな支持部を確保することができることと相俟って、安定した注射動作を行うことができる（図９参照）。
【産業上の利用可能性】
【００３９】
本考案は、医療用機器の分野においてその利用に供される。
【図面の簡単な説明】
【００４０】
【図１】本考案に係る自己注射用補助具の斜視図である。
【図２】図１の自己注射用補助具に注射器をセットする状態を示す斜視図である。
【図３】図１の自己注射用補助具に注射器をセットした状態を示す斜視図である。
【図４】本体カバーを閉じた状態を示す斜視図である。
【図５】図４の背面図である。
【図６】図５の本体カバーをスライドさせた状態を示す背面図である。
【図７】注射器の針キャップが外れた状態を示す斜視図である。
【図８】本考案の自己注射用補助具を用いて患者が注射針を注射部位に刺した状態を示す斜視図である。
【図９】図８の状態からピストンを押して薬液を患部に注射する状態を示す斜視図である。
【符号の説明】
【００４１】
１００  自己注射用補助具
１１０  装置本体
１１１  長溝
１１２  つばもと装着部
１１３  羽根部
１１５ａ，１１５ｂ  軸
１１５Ａ  第１の突起
１１６  第２の突起１１６
１２０  本体カバー
１２１  押え溝
１２２  針キャップ後端係合片
１２３ａ，１２３ｂ  ヒンジ部
１２６  爪部
１２７  つば部
１２８  開口
３００  注射器３００
３１０  シリンダ
３２０  ピストン
３１１  つばもと
３３０  注射針
３４０  針キャップ
ｃ  間隙
【図１】
0003143302.tif 000003
【図２】
0003143302.tif 000004
【図３】
0003143302.tif 000005
【図４】
0003143302.tif 000006
【図５】
0003143302.tif 000007
【図６】
0003143302.tif 000008
【図７】
0003143302.tif 000009
【図８】
0003143302.tif 000010
【図９】
0003143302.tif 000011